(57)【要約】      （修正有）【課題】固定式クリール方式の整経作業に長時間掛かる欠点と回転式クリール式の限られたパターンの整経しかできない欠点とを同時に解消可能な回転式クリールのサンプル整経機及び方法を提供する。【解決手段】整経ドラム２１４とその外周部の長手方向で移動自在に設けられた複数のコンベアベルトとドラム２１４の側部の長手方向に設けられ且つ所定の綾を形成する綾取り手段１８ａ〜１８ｂと、ドラム２１４の前方に配置されると共に複数の糸継機構１００、１００ａ〜１００ｈが設けられ且つ糸継機構に対応して複数のボビンが着脱自在に装着された回転式クリール２３０と、ドラム２１４の前面に相対向するクリールの端部に固設され且つドラム２１４の外周面上に経糸Ｙを巻き付ける複数のヤーンガイド６ａ〜６ｂとを備え、経糸Ｙの長手方向で所定の整経長毎に異色若しくは異種の経糸に継ぎ替えつつ複本数同時整経を行うようにした。【選択図】  図１
2006241602.tif 000002
【特許請求の範囲】
【請求項１】
整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前方に配置されると共に単数又は複数の糸継機構が設けられ且つ該糸継機構に対応して複数のボビンが着脱自在に装着された回転式クリールと、該回転式クリールの該整経ドラムの前面に相対向する端部に固設され且つ該整経ドラムの外周面上に経糸を巻き付ける複数のヤーンガイドとを備え、経糸の長手方向で所定の整経長毎に異色若しくは異種の経糸に継ぎ替えつつ複本数同時整経を行うようにしたことを特徴とするサンプル整経機。
【請求項２】
整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前面でドラム軸を中心として回転自在に軸支され且つ該整経ドラムの外周面上に経糸を巻き付ける複数のヤーンガイドと、該ヤーンガイドの前方に配置されると共に単数又は複数の糸継機構が設けられ且つ該糸継機構に対応して複数のボビンが着脱自在に装着され尚且つ該ヤーンガイドの回転と同期回転する回転式クリールとを備え、経糸の長手方向で所定の整経長毎に異色若しくは異種の経糸に継ぎ替えつつ複本数同時整経を行うようにしたことを特徴とするサンプル整経機。
【請求項３】
請求項１又は２記載のサンプル整経機を用いたサンプル整経方法であって、経糸の長手方向で所定の整経長毎に異色若しくは異種の経糸に継ぎ替えつつ複本数同時整経を行うようにしたことを特徴とするサンプル整経方法。
【請求項４】
回動可能に設けられたクリールドラムと、該クリールドラムの外周上に設けられた単数又は複数の糸継機構と、該糸継機構の夫々に対応して複数のボビンを着脱自在に装着可能なボビンスタンドとを備えることを特徴とする回転式クリール。
【請求項５】
前記クリールドラムの長手方向の一端部に前記糸継機構と対応する複数のヤーンガイドを固設してなることを特徴とする請求項４記載の回転式クリール。
【発明の詳細な説明】
【技術分野】
【０００１】
本発明は、経糸のサンプル整経に用いられるサンプル整経機及びサンプル整経方法に係り、特には回転式クリールを用いる方式のサンプル整経機及びサンプル整経方法に関し、また、そこで用いられる回転式クリールに関する。
【背景技術】
【０００２】
従来のサンプル整経機（Sample Warper）には、固定式クリールを用いる方式、回転式クリールを用いる方式、固定式クリール及び回転式クリールを併用する方式に大別される。
【０００３】
固定式クリールを用いる方式は、異種（異色又は撚りの異なる）の糸を巻いてある複数本のボビンを立てる固定式クリールを用い、予め設定された柄データ（糸順序）に従い糸セレクトガイドによって糸交換を行いつつヤーンガイドにより整経ドラム上に糸を巻付けていくものである（例えば、特許文献１及び特許文献２参照）。固定式クリールは、同種及び／又は異種の糸（主として異種の糸）を巻いてある複数本のボビンを有しており、糸一本ずつの整経をすることができるため、柄整経の整経作業を行うことができる利点があるが、一本の糸を順次整経ドラムに巻き付けるために整経作業時間がそれだけ掛かるという不利がある。
【０００４】
また、回転式クリールを用いる方式は、回転式クリールを用いると共に糸交換工程を省略し、糸交換時の時間的ロスを皆無とし且つ複本数の糸を同時に整経ドラムに巻付けることを可能とし、さらに整経作業時間の短縮を可能としたものである。従来の回転式クリールを用いる方式のサンプル整経機について、図８に基づいて説明すると、図８において、符号２００は従来の回転式クリール方式のサンプル整経機であり、サンプル整経機２００の基本構造は、略円筒形の整経ドラム２１４（例えばドラム外周長７ｍ）と、この整経ドラム２１４を支持する基台２１２とを備え、整経ドラム２１４の外周部には、その長手方向に移動自在な複数のコンベアベルト２１７が設けられており、整経ドラム２１４の両側部には、その長手方向に所定の綾を形成する綾取り手段である綾取りバー２１８ａ〜２１８ｇが設けられている。整経ドラム２１４の前面には、整経ドラム２１４のドラム軸を中心として回転自在とされ、整経ドラム２１４の外周面上に経糸Ｙを巻付ける複数（図示例では８本）のヤーンガイド２０６ａ〜２０６ｈが設けられている。また、サンプル整経機２００は、ヤーンガイド２０６ａ〜２０６ｈに対応して、その前側外方に配置され、複数のボビンＢが着脱自在に装着され且つヤーンガイド２０６ａ〜２０６ｈの回転と電気的又は機械的に同期運転する回転式クリール２３０を備える。そして、ヤーンガイド２０６ａ〜２０６ｈの回転と回転式クリール２３０を同期運転しつつ、整経ドラム２１４の外周面上に経糸Ｙを巻付けるようにし、連続して複本数同時整経を行うものである（特許文献３及び特許文献４等参照）。
【０００５】
このような回転式クリール方式のサンプル整経機では、回転式クリールは同種及び／又は異種の糸を巻いてある複数本のボビンを有しており、無地整経（例えば、赤色糸一色）、１対１の柄整経（例えば、赤１本と白１本の繰り返し、Ｓ撚１本とＺ撚１本の繰り返し）、２対２の柄整経（例えば、赤２本と白２本の繰り返し、Ｓ撚２本とＺ撚２本の繰り返し）等のごく限られたパターンの整経にのみ使用可能である。回転式クリール方式のサンプル整経機は、ごく限られたデザインの整経以外の柄整経の整経作業を行うことはできないという欠点があるが、複本数の糸を同時に整経ドラムに巻き付けるために整経作業時間が大幅に短縮されるという利点がある。
【０００６】
その他、固定式クリール及び回転式クリールを併用する方式としては特許文献５があり、複数の回転式クリールを組み合わせる方式としては特許文献６がある。
【特許文献１】特許第１５２９１０４号公報
【特許文献２】特許第２８５４７８９号公報
【特許文献３】特許第１７６７７０６号公報
【特許文献４】特許第３４２０５２６号公報
【特許文献５】特許第３４１８５６２号公報
【特許文献６】特開２００２−３３９１８３号公報
【特許文献７】特開２００４−１５６１８５号公報
【発明の開示】
【発明が解決しようとする課題】
【０００７】
本発明は、上記問題点に鑑みてなされたものであり、固定式クリールを用いる方式の整経作業に長時間掛かるという欠点と、回転式クリールを用いる方式のごく限られたパターンの整経しかできないという欠点とを同時に解消すること、換言すれば、整経デザインの制限を生じることなく極めて短時間で整経することを可能とする新たなサンプル整経機及びサンプル整経方法並びに回転式クリールを提供することを目的とするものである。
【課題を解決するための手段】
【０００８】
上記課題を解決するために、本発明者らは鋭意検討したところ、回転式クリールに糸継機構を設け、予め設定された柄データ（糸順序）に従って糸継機構により経糸の長手方向で所定の整経長毎に異色若しくは異種の経糸に継ぎ替えつつ複本数同時整経を行うようにすれば、糸セレクトガイドによる糸交換が不要で且つ整経デザインの制限を生じることなく、短時間での整経を可能とすることができることを見出した。整経動作中の糸交換は不要となるので、糸交換時に発生していたトラブルを皆無とすることができるし、また、ヤーンガイドを回転式クリールと一体化した構成とすれば、ヤーンガイドと回転式クリールの回転を同期回転させるための煩雑さが解消できるようになる。
【０００９】
即ち、本発明のサンプル整経機の第１の態様は、整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前方に配置されると共に単数又は複数の糸継機構が設けられ且つ該糸継機構に対応して複数のボビンが着脱自在に装着された回転式クリールと、該回転式クリールの該整経ドラムの前面に相対向する端部に固設され且つ該整経ドラムの外周面上に経糸を巻き付ける複数のヤーンガイドとを備え、経糸の長手方向で所定の整経長毎に異色若しくは異種の経糸に継ぎ替えつつ複本数同時整経を行うようにしたことを特徴とする。
【００１０】
本発明のサンプル整経機の第２の態様は、整経ドラムと、該整経ドラムの外周部の長手方向で移動自在に設けられた複数のコンベアベルトと、該整経ドラムの側部の長手方向に設けられ且つ所定の綾を形成する綾取り手段と、該整経ドラムの前面でドラム軸を中心として回転自在に軸支され且つ該整経ドラムの外周面上に経糸を巻き付ける複数のヤーンガイドと、該ヤーンガイドの前方に配置されると共に単数又は複数の糸継機構が設けられ且つ該糸継機構に対応して複数のボビンが着脱自在に装着され尚且つ該ヤーンガイドの回転と同期回転する回転式クリールとを備え、経糸の長手方向で所定の整経長毎に異色若しくは異種の経糸に継ぎ替えつつ複本数同時整経を行うようにしたことを特徴とする。
【００１１】
なお、上記本発明の第２の態様と前記本発明の第１の態様との相違点は、ヤーンガイドの設置箇所にあり、即ち、ヤーンガイドを回転式クリールの側に設ける（本発明の第１の態様）か、従来と同様に整経ドラムの側に設ける（本発明の第２の態様）かの違いであり、ヤーンガイドを回転式クリールの側に設けた場合（本発明の第１の態様）は、ヤーンガイドと回転式クリールとが一体化して回転するので同期運転の必要はない。他方、ヤーンガイドを従来と同様に整経ドラムの側に設けた場合（本発明の第２の態様）は、従来と同様にヤーンガイドの回転と回転式クリールの回転を同期運転せしめる必要がある。
【００１２】
また、本発明のサンプル整経方法は、前記サンプル整経機を用いたサンプル整経方法であって、経糸の長手方向で所定の整経長毎に異色若しくは異種の経糸に継ぎ替えつつ複本数同時整経を行うようにしたことを特徴とする。
【００１３】
更に、本発明の回転式クリールは、回動可能に設けられたクリールドラムと、該クリールドラムの外周上に設けられた単数又は複数の糸継機構と、該糸継機構の夫々に対応して複数のボビンを着脱自在に装着可能なボビンスタンドとを備えることを特徴とする。前記クリールドラムの長手方向の一端部に前記糸継機構と対応する複数のヤーンガイドを固設してなるようにすれば、ヤーンガイドを回転式クリールと一体化した構成とすることができ、ヤーンガイドと回転式クリールの回転を同期回転させるための煩雑さが解消できる。
【発明の効果】
【００１４】
本発明によれば、固定式クリールを用いる方式の整経作業に長時間掛かるという欠点と、回転式クリールを用いる方式のごく限られたパターンの整経しかできないという欠点とを同時に解消すること、換言すれば、整経デザインの制限を生じることなく極めて短時間で整経することを可能とする新たなサンプル整経機及びサンプル整経方法並びに回転式クリールを提供することができるという大きな効果を奏する。
【発明を実施するための最良の形態】
【００１５】
以下に本発明の実施の形態を添付図面に基づいて説明するが、図示例は例示的に示されたもので、本発明の技術思想から逸脱しない限り種々の変形が可能なことはいうまでもない。
【００１６】
図１は、本発明のサンプル整経機の第１の態様の一例を示す側面説明図である。図２は、図１におけるＡ−Ａ部の正面説明図である。図３は、本発明の回転式クリール（図１におけるＢ−Ｂ部）を示す拡大要部説明図である。図４は、図１及び図３におけるＢ−Ｂ部の正面説明図である。図５は、図１及び図３におけるＣ−Ｃ部の断面説明図である。図６は、本発明で用いることのできる糸継機構の一例を示す概略説明図である。図７は、本発明のサンプル整経機の第２の態様を示す側面説明図である。
【００１７】
まず、本発明のサンプル整経機の第１の態様について、図１〜図６に基づいて説明する。図中、符号１０は本発明の第１の態様のサンプル整経機であり、符号３０は回転式クリールの一例である。サンプル整経機１０は、整経ドラム１４の側（Ａ−Ａ部）と回転式クリール３０の側（Ｂ−Ｂ部）とに大別される（図１参照）。
【００１８】
略円筒形の整経ドラム１４（例えばドラム外周長７ｍ）は、ドラム枠１５，１６が内装され、主軸パイプ１１及び主軸パイプメタル１３ａ，１３ｂにより基台１２に軸支されており、整経ドラム１４の外周部には、その長手方向に移動自在な複数のコンベアベルト１７及びその駆動ローラ１７ａが設けられている（図１参照）。また、整経ドラム１４の両側部には、その長手方向に所定の綾を形成する綾取り手段である綾取りバー１８ａ〜１８ｆが設けられ、整列巻き整経を行うためのガイド手段２１を備える（図２参照）。このガイド手段２１については、特許文献２に詳細に説明されているため再度の説明は省略する。
【００１９】
なお、従来のサンプル整経機２００では、整経ドラム２１４の前面には、整経ドラム２１４のドラム軸を中心として回転自在とされ、整経ドラム２１４の外周面上に経糸Ｙを巻付けるための複数のヤーンガイド２０６ａ〜２０６ｈが設けられているが（図８参照）、本発明の第１の態様のサンプル整経機１０では、ヤーンガイドは後述するように回転式クリール３０と一体的に設けるため、整経ドラム１４の前面にヤーンガイドを設ける必要はない。
【００２０】
回転式クリール３０は、回動可能に設けられたクリールドラム３４と、クリールドラム３４の外周上に設けられた複数の糸継機構１００ａ〜１００ｈと、糸継機構１００ａ〜１００ｈの夫々に対応して複数のボビンＢ１〜Ｂ５を着脱自在に装着可能なボビンスタンド１１０と、クリールドラム３４の長手方向の一端部（整経ドラム１４と相対向する側の端部）に糸継機構１００ａ〜１００ｈに対応して複数のヤーンガイド６ａ〜６ｈとを備えるものであり、ヤーンガイド６ａ〜６ｈを回転式クリール３０と一体的に設けてなるものである（図１及び図３参照）。
【００２１】
クリールドラム３４は、前記整経ドラム１４よりも小径の円筒形部材であり、ドラム枠３５，３６，３７が内装され、ドライブシャフト３１及びドライブシャフトメタル３３ａ，３３ｂにより基台４２に回動自在に軸支されている。そして、ドライブシャフト３１のドライブプーリ４４とモータ４８のモータプーリ４３との間にはタイミングベルト４５が係回されており、モータ４８の駆動によりドライブシャフト３１が回動され、これに伴いクリールドラム３４も回動せしめられるようになっている（図３参照）。
【００２２】
また、クリールドラム３４の外周部には、架台４０ａ〜４０ｈが突設され、架台４０ａ〜４０ｈを介して糸継機構１００ａ〜１００ｈが設けられ、クリールドラム３４の長手方向の一端部（整経ドラム１４と相対向する側の端部）には、整経ドラム１４の外周面上に経糸Ｙを先端糸案内部材２を介して巻き付けるための複数（例えば８本）のヤーンガイド６ａ〜６ｈが固設され（図３及び図４参照）、クリールドラム３４の長手方向の他端部には、複数のボビンＢ１〜Ｂ５が着脱自在に装着されたボビンスタンド１１０が設けられている（図３及び図５参照）。従って、クリールドラム３４の回動に伴って、ヤーンガイド６ａ〜６ｈ及び糸継機構１００ａ〜１００ｈ並びにボビンスタンド１１０等も回動することとなる。
【００２３】
ここで、本発明で用いる糸継機構１００について、図６に基づいて説明する。符号１００は糸継機構である。なお、糸継機構１００としては、公知のワインダー（巻取機）の糸継機構を利用でき、糸継機構を備えるワインダーとしては例えば特許文献７がある。
【００２４】
糸継機構１００は、ボビンＢ１，Ｂ２，Ｂ３が着脱自在に装着されたボビンスタンド１１０と、ボビンＢ１，Ｂ２，Ｂ３から夫々引き出された原糸Ｙ１，Ｙ２，Ｙ３に張力を付加する張力付加部材１１１と、張力付加部材１１１で張力付加された原糸Ｙ１，Ｙ２，Ｙ３の中でから所望の糸Ｙｓを選択し、他の糸Ｙｗは待機させる糸選択装置１２０と、前走の糸と後走の糸が異なる場合に糸継を行う糸継装置１１２と、糸継された経糸Ｙを貯留すると共に糸長を測定する糸測長貯留装置１３０とからなるものである。
【００２５】
ボビンＢ１，Ｂ２，Ｂ３は、夫々色や種類の異なる原糸Ｙ１，Ｙ２，Ｙ３が巻き付けられたボビンであり、原糸Ｙ１，Ｙ２，Ｙ３は張力付加部材１１１を通過して、糸選択装置１２０により選択され、糸継装置１１２により糸継されながら連続的に糸測長貯留装置１３０に供給される。また、図示例では、３個のボビンＢ１，Ｂ２，Ｂ３がボビンスタンド１１０に装着されている例を示しているが、所望の柄整経を行うのに必要な色種・糸種のボビンがボビンスタンド１１０に装着されるものであり、その数量に制限はない。
【００２６】
糸選択装置１２０は、ボビンＢ１，Ｂ２，Ｂ３毎に配設された糸ガイド１２１を夫々有し、原糸Ｙ１，Ｙ２，Ｙ３を適宜選択して糸継装置１１２へ案内する糸ガイド位置（選択位置）１２１Ａ又は経糸Ｙを吸引部材１１６へ案内する糸ガイド位置（待機位置）１２１Ｂに移動自在に制御される構造となっている。
【００２７】
糸継装置１１２は、原糸Ｙ１，Ｙ２，Ｙ３の切断と糸継を行うものであり、糸選択装置１２０により選択された原糸Ｙ１，Ｙ２，Ｙ３が糸継装置１１２へ案内されて糸継され、経糸Ｙが形成されるように構成されている。この糸継装置１１２としては空気渦流により糸継するスプライサー装置でもよいし、糸結びを行うノッター装置でもよい。
【００２８】
吸引部材１１６に吸引されている（糸継装置１１２へ案内されていない待機中の）糸Ｙ１〜Ｙ３は、糸保持ローラ１１７と糸保持板１１８により挟持される。糸保持ローラ１１７は、外周面にウレタン等の弾性材が被覆されたローラ部材であり、糸保持板１１８は糸保持ローラ１１７に接離自在とされている。
【００２９】
糸測長貯留装置１３０は、モータ１３７によりプーリ及び駆動ベルトを介して回転軸１３２を回転駆動せしめ、回転軸１３２から分岐された巻付け管（不図示）が貯留ドラム１３３の周囲を旋回し、糸長をモータ１３７の回転速度等から測定制御しつつ、経糸Ｙを貯留ドラム１３３に螺旋状に整列した状態で貯留するものである。そして、糸測長貯留装置１３０の貯留ドラム１３３に貯留されている経糸Ｙをヤーンガイド６ａ〜６ｈに供給する。
【００３０】
ヤーンガイド６ａ〜６ｈに供給された経糸Ｙは、原糸Ｙ１，Ｙ２，Ｙ３の各種の色糸が所定の順番且つ所定の長さで糸継されて一本の経糸Ｙをなすので、整経長に合わせて、赤糸、黄糸、青糸、黄糸のような色分けをした経糸Ｙを得ることができる。また、色糸の配列だけではなく、糸種や異なる番手糸を適宜変更した配列とすることもできる。
【００３１】
このようにして、ボビンスタンド１１０に装着されたボビンＢ１〜Ｂ５から引き出された原糸を所望の配列となるように糸継機構１００ａ〜１００ｈで継ぎ替えつつ経糸Ｙをヤーンガイド６ａ〜６ｈに供給し、ヤーンガイド６ａ〜６ｈの先端の先端糸案内部材２を介して、整経ドラム１４の外周面上に連続的に経糸Ｙを巻き付けることにより、所望の柄に整経された経糸層Ｙｄを形成することができる。然して、糸継機構１００及びこれ対応したヤーンガイド６ａ〜６ｈを回転式クリール３０に備えることにより、従来はごく限られたパターンの整経しかできなかった回転式クリールを用いる方式のサンプル整経機であっても、糸交換等によるタイムロスを生じずに、複雑な柄整経を制限なく自由に行うことができるようになり、極めて短時間で複雑な柄のサンプル整経が可能な回転式クリール方式のサンプル整経機１０を得ることができる。また、回転式クリール３０にヤーンガイド６ａ〜６ｈが一体化しているため、従来のサンプル整経機２００（図８参照）のようにヤーンガイドと回転式クリールの回転を同期回転させる煩雑さもない。
【００３２】
次に、本発明のサンプル整経機の第２の態様について、図７に基づいて説明する。図中、符号１０Ａは本発明の第２の態様のサンプル整経機であり、符号３０Ａは回転式クリールの他例である。
【００３３】
前記本発明の第１の態様のサンプル整経機１０では、ヤーンガイド６ａ〜６ｈを回転式クリール３０に一体的に設けた場合の例を説明したが、ヤーンガイドを回転式クリールではなく、従来のサンプル整経機２００（図８参照）と同様に、整経ドラムに設けることもできる。即ち、整経ドラム１４Ａの前面に、ヤーンガイド主軸５３及びヤーンガイド支持部５４を介して整経ドラム１４Ａのドラム軸を中心として回転自在とし、整経ドラム１４Ａの外周面上に経糸Ｙを先端糸案内部材５２を介して巻き付けるための複数（例えば８本）のヤーンガイド５６ａ〜５６ｈを設けるものである。なお、ヤーンガイド５６ａ〜５６ｈは回転式クリール３０Ａには設けず、整経ドラム１４Ａの前面に設ける以外は、前記本発明の第１の態様のサンプル整経機１０の場合と同様であるので、再度の重複した説明は省略する。
【００３４】
この場合でも、糸交換等によるタイムロスを生じずに、複雑な柄整経を制限なく自由に行うことができるようになり、極めて短時間で複雑な柄のサンプル整経が可能な回転式クリール方式のサンプル整経機１０Ａを得ることができる。但し、本発明の第２の態様の回転式クリール３０Ａでは、ヤーンガイド５６ａ〜５６ｈの回転と電気的又は機械的に同期運転する必要があるので、前記本発明の第１の態様のサンプル整経機１０と比して多少煩雑ではあるが、ヤーンガイド５６ａ〜５６ｈと回転式クリール３０Ａの同期運転技術は長年に亘り既に確立された技術であるため（特許文献３及び特許文献４等参照）、特に困難はない。むしろ、整経ドラム１４Ａは従来のサンプル整経機２００の整経ドラム２１４（図８参照）と同一構造であるため、従来のものをそのまま流用でき、製造コストの面で有利な態様となるし、既に工場等に設置されている従来のサンプル整経機２００に対しては、その回転式クリール２３０を本発明における回転式クリール３０Ａに換えるだけでよいので、利便性は極めて高い態様となる。
【００３５】
なお、上記説明では、糸継機構１００ａ〜１００ｈをヤーンガイド６ａ〜６ｈに対応して同数（図示例では８個）設けた場合を説明したが、全てのヤーンガイド６ａ〜６ｈで糸の継ぎ替えを行う必要がなければ、糸継機構１００ａ〜１００ｈは必要な個数だけ設ければ良く、例えば１個だけであってもよい。また、前記第１の態様、第２の態様において、糸継機構１００ａ〜１００ｈをクリールドラム３４の外周上に設置するのではなく、回転式クリール３０，３０Ａの基台４２に糸継機構１００ａ〜１００ｈを１個又は複数個設け、糸の継ぎ替えが必要な時にクリールドラム３４を停止させ、糸の継ぎ替えをすることも可能である。
【図面の簡単な説明】
【００３６】
【図１】本発明のサンプル整経機の第１の態様の一例を示す側面説明図である。
【図２】図１におけるＡ−Ａ部の正面説明図である。
【図３】本発明の回転式クリール（図１におけるＢ−Ｂ部）を示す拡大要部説明図である。
【図４】図１及び図３におけるＢ−Ｂ部の正面説明図である。
【図５】図１及び図３におけるＣ−Ｃ部の断面説明図である。
【図６】本発明で用いることのできる糸継機構の一例を示す概略説明図である。
【図７】本発明のサンプル整経機の第２の態様の一例を示す側面説明図である。
【図８】従来の回転式クリール方式のサンプル整経機を示す概略説明図である。
【符号の説明】
【００３７】
２：先端糸案内部材、６ａ〜６ｈ：ヤーンガイド、１０，１０Ａ：本発明のサンプル整経機、１１：主軸パイプ、１２：基台、１３ａ，１３ｂ：主軸パイプメタル、１４，１４Ａ：整経ドラム、１５，１６：ドラム枠、１７：コンベアベルト、１７ａ：駆動ローラ、１８ａ〜１８ｆ：綾取りバー（綾取り手段）、２１：ガイド手段、３０，３０Ａ：回転式クリール、３１：ドライブシャフト、３３ａ，３３ｂ：ドライブシャフトメタル、３４：クリールドラム、３５，３６，３７：ドラム枠、４０ａ〜４０ｈ：架台、４２：基台、４３：モータプーリ、４４：ドライブプーリ、４５：タイミングベルト、４８：モータ、５２：先端糸案内部材、５４：ヤーンガイド主軸、５６：ヤーンガイド支持部、５６ａ〜５６ｈ：ヤーンガイド、１００，１００ａ〜１００ｈ：糸継機構、１１０：ボビンスタンド、１１１：張力付加部材、１１２：糸継装置、１１６：吸引部材、１１７：糸保持ローラ、１１８：糸保持板、１２０：糸選択装置、１２１：糸ガイド、１３０：糸測長貯留装置、１３２：回転軸、１３３：貯留ドラム、１３７：モータ、２００：従来のサンプル整経機、２０６ａ〜２０６ｈ：ヤーンガイド、２１２：基台、２１４：整経ドラム、２１７：コンベアベルト、２１８ａ〜２１８ｇ：綾取りバー、２３０：回転式クリール、Ｂ１，Ｂ２，Ｂ３，Ｂ４，Ｂ５：ボビン、Ｙ：経糸、Ｙ１，Ｙ２，Ｙ３：原糸、Ｙｄ：整経された経糸層、Ｙｓ：選択中の糸、Ｙｗ：待機中の糸。
【図１】
2006241602.tif 000003
【図２】
2006241602.tif 000004
【図３】
2006241602.tif 000005
【図４】
2006241602.tif 000006
【図５】
2006241602.tif 000007
【図６】
2006241602.tif 000008
【図７】
2006241602.tif 000009
【図８】
2006241602.tif 000010